(57)【要約】  本発明は、いくつかの巻線ペアを有する磁気カプラに供給する方法に関するものであり、それぞれのペアは、磁性材料のコアによって相互に磁気的に結合された隣接する第１巻線及び第２巻線のペアから形成されている。本方法は、それぞれのペアの第１巻線に対して、その同一のペアの第２巻線の供給電圧又は電流との関係において角度αだけ位相がずれた供給電圧又は電流を供給する段階（段階３４）を更に有している。角度αの絶対値は、少なくとも１つの巻線ペアにおいて、４π／Ｎ以上である。
2009500838.tif 000002
【特許請求の範囲】
【請求項１】
相互に角度がオフセットされたＮ個の周期的供給電流又は電圧を使用することによって磁気カプラに供給する方法であって、使用する前記Ｎ個の供給電流又は電圧間のオフセット角度は、０ラジアンと２πラジアンとの間に規則的に分布しており、Ｎは、４以上の整数であり、前記磁気カプラは、複数の巻線ペアを有しており、それぞれのペアは、磁性材料から製造されたコアによって相互に磁気的に接続された隣接する第１巻線及び第２巻線によって形成されており、前記方法は、それぞれのペアの前記第１巻線に対して、同一のペアの前記第２巻線の前記供給電流又は電圧との関係において角度αだけオフセットされた供給電流又は電圧を供給する段階（段階３４）を更に有する方法において、
前記角度αの絶対値は、少なくとも１つの巻線ペアにおいて、４π／Ｎ以上であることを特徴とする方法。
【請求項２】
前記角度αの前記絶対値は、それぞれの巻線ペアにおいて、４π／Ｎ以上であることを特徴とする請求項１記載の方法。
【請求項３】
前記角度αの前記絶対値は、それぞれの巻線ペアにおいて、π−２π／Ｎラジアンとπ＋２π／Ｎラジアンとの間であることを特徴とする請求項２記載の方法。
【請求項４】
Ｎが奇数である場合には、前記角度αの前記絶対値は、［（Ｎ−１）／２］．（２π／Ｎ）に等しく、
Ｎが４の倍数である場合には、前記角度αの前記絶対値は、［（Ｎ／２）−１］．（２π／Ｎ］に等しく、
Ｎが偶数である際には、前記角度αは、Ｎ／２−１個の巻線ペアにおいては、［（Ｎ／２）−１］．（２π／Ｎ）に、２つの巻線ペアにおいては、πに、そして、他の巻線ペアにおいては、−［（Ｎ／２）−１］．（２π／Ｎ）に等しい、
ことを特徴とする請求項３記載の方法。
【請求項５】
電気ダイポールに供給する装置であって、
Ｎ個の位相を有する供給源（１６）であって、前記位相間のオフセット角度は、０ラジアンと２πラジアンとの間に規則的に分布しており、Ｎは、４以上である、供給源と、
前記供給源の前記位相のそれぞれを前記電気ダイポールに共に接続する磁気カプラ（１８；４２；５４；６０）であって、前記磁気カプラは、複数の巻線ペア（ｅ1i、ｅ2i；ｅi、ｅi+1）を有しており、それぞれの巻線ペアは、磁性材料から製造されたコアによって相互に磁気的に接続された隣接する第１巻線及び第２巻線によって形成されており、それぞれのペアの前記第１巻線は、同一のペアの前記第２巻線に供給している前記供給源の前記位相との関係において角度αだけ角度がオフセットされた前記供給源の位相によって供給されている、磁気カプラと、
を有する装置において、
前記角度αの絶対値は、少なくとも１つの巻線ペアにおいて、４π／Ｎ以上であることを特徴とする装置。
【請求項６】
それぞれの第１巻線ペアについて、前記磁気カプラ（５４）は、前記第１巻線ペアと関連付けられた第２巻線ペアを有しており、それぞれの第２巻線ペアは、磁性材料から製造された同一のコアによって、相互に、且つ、関連付けられた前記第１ペアの前記第１巻線及び第２巻線に、磁気的に接続された隣接する第３巻線及び第４巻線（ｅ3i、ｅ4i）によって形成されており、前記第２ペアは、前記関連付けられた第１巻線ペアから電気的に絶縁されており、前記第１巻線及び第２巻線（ｅ1i、ｅ2i）のみが前記供給源の前記位相に接続されており、前記第３巻線及び第４巻線（ｅ3i、ｅ4i）のみが前記電気ダイポールに接続されていることを特徴とする請求項５記載の装置。
【請求項７】
それぞれのペアの前記第１巻線（ｅ1i）は、前記供給源の前記位相の中の１つに直接接続されており、同一のペアの前記第２巻線は、別の巻線ペアの前記第１巻線によって前記供給源の別の位相に接続されていることを特徴とする請求項５又は請求項６記載の装置。
【請求項８】
それぞれの巻線ペアの前記第１巻線及び第２巻線は、前記供給源のそれぞれの位相に直接接続されていることを特徴とする請求項５又は請求項６記載の装置。
【請求項９】
それぞれの巻線ペアは、他の巻線ペアから磁気的に独立していることを特徴とする請求項５〜８の中のいずれか一項記載の装置。
【請求項１０】
それぞれの第１巻線又は第２巻線は、第１巻線ペア及び第２巻線ペアの両方に属していることを特徴とする請求項５〜８の中のいずれか一項記載の装置。
【請求項１１】
それぞれの巻線は、第１端部及び第２端部を具備した磁性材料から製造されたブランチの周りに巻回されており、それぞれのブランチの前記第１端部は、磁性材料から製造された第１レッグによって磁気的に接続されており、それぞれのブランチの前記第２端部は、磁性材料から製造された第２レッグによって磁気的に接続されており、前記第１レッグ及び第２レッグは、それぞれ、前記ブランチのすべてを接続するループを形成していることを特徴とする請求項１０記載の装置。
【請求項１２】
前記供給源のそれぞれの位相は、供給電流又は電圧を印加しており、前記供給電流又は電圧の波形は、すべて、同一であるが、略２π／Ｎの倍数のオフセット角度でオフセットされていることを特徴とする請求項５〜１１の中のいずれか一項記載の装置。
【発明の詳細な説明】
【技術分野】
【０００１】
本発明は、磁気カプラに供給する方法及び装置に関するものである。
【背景技術】
【０００２】
磁気カプラ（マルチインターフェーズ変圧器）は、例えば、負荷を多相供給源に接続するべく使用されている。
【０００３】
互いに角度がオフセットされたＮ個の周期的な供給電流又は電源を生成可能である多相供給源の使用法については、既知であり、この場合に、Ｎは、４以上の整数である。使用される供給電流又は電圧間のオフセット角度は、０と２πラジアンとの間に均等に分布している。２πラジアンのオフセット角度は、電流又は電圧の１周期に対応している。
【０００４】
既知の磁気カプラは、いくつかの巻線ペアを有しており、それぞれのペアは、磁性材料から製造されたコア、即ち、磁気コアによって磁気的に相互接続された隣接する第１巻線及び第２巻線によって形成されている。既知の磁気カプラの様々な構造については、「Ｍｏｄｅｌｉｎｇ  ａｎｄ  Ａｎａｌｙｓｉｓ  ｏｆ  Ｍｕｌｔｉ−Ｉｎｔｅｒｐｈａｓｅ  Ｔｒａｎｓｆｏｒｍｅｒｓ  ｆｏｒ  Ｃｏｎｎｅｃｔｉｎｇ  Ｐｏｗｅｒ  Ｃｏｎｖｅｒｔｅｒｓ  ｉｎ  Ｐａｒａｌｌｅｌ」（ＩＮ  ＧＹＵ  ＰＡＲＫ  ａｎｄ  ＳＥＯＮ  ＩＫ  ＫＩＭ，  Ｄｅｐｔ．  ｏｆ  Ｃｏｎｔｒｏｌ  ａｎｄ  Ｉｎｓｔｒｕｍｅｎｔａｔｉｏｎ  Ｅｎｇ．，  Ｗｏｎｋｗａｎｇ  Ｕｎｉｖｅｒｓｉｔｙ，  Ｉｋｓａｎ，  Ｃｈｏｎｂｕｋ，  ５７０−７４９  Ｋｏｒｅａ，  ＩＥＥＥ  １９９７）に記述されている。
【０００５】
これらのカプラに供給する既知の方法は、それぞれのペアの第１巻線に対して、この同一のペアの第２巻線の供給電流又は電圧との関係において角度αだけ角度がオフセットされた供給電流又は電圧を供給する段階を有している。
【０００６】
既知の方法においては、角度αは、それぞれの巻線ペアにおいて、２π／Ｎに等しい。
【０００７】
この結果、磁気カプラは、正しく機能することになるが、これは、面倒である。いまや、これらの磁気カプラのサイズを低減することが望ましい。
【発明の開示】
【発明が解決しようとする課題】
【０００８】
従って、本発明の目的は、同一の性能レベルにおいて、磁気カプラのサイズの低減を実現する磁気カプラへの供給方法を提案することにある。従って、本発明の目的は、角度αの絶対値が少なくとも１つの巻線ペアにおいて４π／Ｎ以上である磁気カプラに供給する方法である。
【課題を解決するための手段】
【０００９】
同一の性能レベルにおいて、角度αの絶対値が少なくとも１つの巻線ペアにおいて４π／Ｎ以上となるように選択した場合に、このペアの巻線を接続する磁気コアを通過する最大磁束が減少することを観察した。実際に、このタイプの値を少なくとも１つの巻線ペアの角度αの絶対値に適用した場合には、この巻線ペアの供給電流又は電圧のオフセット角度がπラジアンに等しい状況に近づく。これは、これら２つの巻線を接続する磁気コア内において観察されうる最大磁束を最適に低減することに相当する。
【００１０】
磁気コアの断面を通過する最大磁束が減少するため、この磁気コアの寸法も低減され、結果的に、カプラのサイズも低減可能となる。
【００１１】
更には、Ｎ個の供給電流又は電圧のオフセット角度の規則的な分布に起因し、このカプラによって供給される負荷内における電流又は電圧の高調波も減少することになる。
【００１２】
この供給方法の実施例は、以下の特性の中の１つ又は複数を備える。
・角度αの絶対値が、それぞれの巻線ペアにおいて４π／Ｎ以上である。
・角度αの絶対値が、それぞれの巻線ペアにおいてπ−２π／Ｎラジアンとπ＋２π／Ｎラジアンとの間である。
・Ｎが奇数である場合には、角度αの絶対値は、［（Ｎ−１）／２］．（２π／Ｎ）に等しい。
・Ｎが４の倍数である場合には、角度αの絶対値は、［（Ｎ／２）−１］．（２π／Ｎ）に等しい。
・Ｎが偶数である場合には、角度αは、Ｎ／２−１個の巻線ペアにおいては、［（Ｎ／２）−１］．（２π／Ｎ）に、２つの巻線ペアにおいては、πに、そして、その他の巻線ペアにおいては、−［（Ｎ／２）−１］．（２π／Ｎ）に等しい。
【００１３】
又、本供給方法のこれらの実施例は、以下の利点を具備している。
・それぞれの巻線ペアにおいて、その絶対値が４π／Ｎ以上である角度αを選択することにより、磁気カプラのサイズを低減可能である。
・その絶対値がそれぞれの巻線のペアにおいてπ−２π／Ｎラジアンとπ＋２π／Ｎラジアンの間である角度αを選択することにより、磁気カプラのサイズの最適な低減を得ることが可能である。
・Ｎの値に従って角度αを計算するべく先程提供した式を使用することにより、それぞれの巻線ペアにおいてπに近いオフセット角度が得られ、従って、磁気カプラのサイズの最適な低減を得ることが可能である。
【００１４】
又、本発明の目的は、電気ダイポールに供給する装置であり、この装置は、
・位相間のオフセット角度が０ラジアンと２πラジアンとの間に規則的に分布するＮ相の供給源であって、Ｎは、４以上である、Ｎ相の供給源と、
・供給源の位相のそれぞれを電気ダイポールに同時に接続する磁気カプラであって、この磁気カプラは、複数の巻線ペアを有しており、それぞれの巻線ペアは、磁性材料から製造されたコアによって相互に磁気的に接続された隣接する第１巻線及び第２巻線によって形成されており、それぞれのペアの第１巻線は、その同一のペアの第２巻線に供給している供給源の位相との関係において角度αだけ角度がオフセットされた供給源の位相によって供給されている、磁気カプラと、を有しており、
・角度αの絶対値は、少なくとも１つの巻線ペアにおいて４π／Ｎ以上である。
【００１５】
この装置の実施例は、以下の特性の中の１つ又は複数のものを有することができる。
・それぞれの第１巻線ペアについて、磁気カプラは、この第１巻線ペアと関連付けられた第２巻線ペアを有しており、それぞれの第２巻線ペアは、磁性材料から製造された同一コアによって、相互に、且つ、関連付けられた第１ペアの第１巻線及び第２巻線に、磁気的に接続された隣接する第３巻線及び第４巻線によって形成されており、第２ペアは、関連付けられた第１巻線ペアから電気的に絶縁されており、第１巻線及び第２巻線のみが供給源の位相に接続されており、第３巻線及び第４巻線のみが電気ダイポールに接続されている。
・それぞれのペアの第１巻線は、供給源の位相の中の１つに直接接続されており、この同一のペアの第２巻線は、別の巻線ペアの第１巻線によって供給源の別の位相に接続されている。
・それぞれの巻線ペアの第１巻線及び第２巻線は、供給源のそれぞれの位相に直接接続されている。
・それぞれの巻線ペアは、その他の巻線ペアから磁気的に独立している。
・磁気ペアのそれぞれの第１巻線又は第２巻線は、第１巻線ペア及び第２巻線ペアの両方に属している。
・それぞれの巻線は、第１端部及び第２端部を具備した磁性材料から製造されたブランチの周りに巻回されており、それぞれのブランチの第１端部は、磁性材料から製造された第１レッグによって磁気的に接続されており、それぞれのブランチの第２端部は、磁性材料から製造された第２レッグによって磁気的に接続されており、第１レッグ及び第２レッグは、それぞれ、すべてのブランチを接続するループを形成している。
・供給源のそれぞれの位相は、供給電流又は電圧を印加しており、これらの供給電流又は電圧の波形は、いずれも、同一であるが、約２π／Ｎの倍数のオフセット角度でオフセットされている。
【００１６】
又、本供給装置のこれらの実施例は、以下の利点を具備している。
・それぞれの第１巻線ペアと関連付けられた第２巻線ペアを使用することにより、供給源との関係において負荷のガルバニック絶縁を得ることが可能である。
・それぞれの巻線ペアがその他の巻線のペアから機械的に隔離されているという事実により、磁気カプラに供給するべく２つの巻線を有する変圧器の使用が可能となり、これにより、標準的な磁気コアからの前述の磁気カプラの製造が円滑に実行される。
・それぞれの巻線が第１磁気巻線ペア及び第２磁気巻線ペアの両方に属しているという事実により、磁気カプラ内における電流又は電圧のバランスがとれ、これにより、磁気カプラのサイズの低減を得ることが可能である。
【発明を実施するための最良の形態】
【００１７】
本発明については、添付の図面を参照し、一例としてのみ提供されている以下の説明を参照することにより、更に理解することができるであろう。
【実施例】
【００１８】
図１は、電気ダイポール４に供給する装置２を表している。この場合には、ダイポール４は、入力８を具備したフィルタ６によって装置２に接続されている。
【００１９】
ダイポール４は、例えば、抵抗器である。
【００２０】
フィルタ６は、例えば、ダイポール４の端子に並列に接続されたフィルタリングコンデンサ１２のみを有するフィルタである。この場合には、装置２によって、フィルタリングインダクタの使用を回避可能である。
【００２１】
装置２は、多相電圧源１６と、この供給源１６をダイポール４に接続するべく、磁気カプラ１８と、を有している。
【００２２】
供給源１６は、Ｎ相の供給源であり、Ｎは、４以上の整数である。従って、供給源１６は、Ｎ個の電圧Ｖiを供給しており、この場合に、ｉは、０とＮ−１との間の位相の番号である。慣例によると、電圧Ｖ0とＶiとの間のオフセット角度は、２πｉ／Ｎに等しい。従って、電圧Ｖ0とＶN-1との間のオフセット角度は、図２に示されているように、０ラジアンと２πラジアンとの間に規則的に分布している。
【００２３】
図２においては、それぞれのベクトルは、電圧Ｖiに対応しており、このベクトルの係数は、電圧の基本成分の係数に対応しており、Ｘ軸との関係におけるこのベクトルの角度は、電圧Ｖ0の基本成分との関係におけるその位相の変位に対応している。図示のように、電圧Ｖ0〜ＶN-1の基本成分の位相変位が規則的に分布している場合には、図２のグラフ上における２つの連続した電圧ベクトルの間の位相変位の角度は、２π／Ｎに等しい。
【００２４】
この場合には、すべての電圧Ｖ0〜ＶN-1が、２π／Ｎラジアンに等しいオフセット角度だけ互いにオフセットされた同一の周期的な波形を具備しているため、電圧Ｖ0〜ＶN-1の振幅は、すべて同一である。
【００２５】
図１においては、供給源１６は、Ｖ0〜ＶN-1を供給するＮ個の単相電圧源Ｓ0〜ＳN-1の形態で示されている。例えば、電圧Ｖ0〜ＶN-1のいずれかに対応するように、それぞれの供給源Ｓiによって生成される電圧のオフセット角度を調節可能である。後述するように、電圧Ｖ0〜ＶN-1は、供給源Ｓ0〜ＳN-1によって順番に生成されてはいない。
【００２６】
図示を簡単にするべく、図１には、３つの電圧源Ｓ0、Ｓ1、及びＳN-1のみが示されている。
【００２７】
供給源１６は、例えば、多相供給ネットワーク、多相電圧インバータ又はチョッパ、ダイオード及びサイリスタによって形成された制御可能な電圧整流器、又は「フライバック」電源のプライマリステージである。これらの周期的な電圧Ｖiは、必ずしも、正弦波ではなく、例えば、矩形又は三角形であり、且つ、連続的な成分を有することができる。
【００２８】
この実施例においては、カプラ１８は、Ｎ個の単相変圧器Ｔｒ0〜ＴｒN-1を有している。それぞれの変圧器は、磁気コアｎiによって相互に磁気的に結合された１次巻線ｅ1i及び隣接する２次巻線ｅ2iによって形成されており、この場合に、ｉは、先程使用したものと同一の値である。
【００２９】
それぞれの変圧器は、磁気コアによって磁気的に相互に接続された巻線のペアを形成している。
【００３０】
この場合には、Ｎ個の変圧器Ｔｒiは、相互に磁気的に独立している。
【００３１】
図示を簡単にするべく、図１には、３つの変圧器Ｔｒ0、Ｔｒ1、及びＴｒN-1のみが示されている。
【００３２】
それぞれの１次巻線ｅ1iは、一端が供給源Ｓiに直接接続されている。
【００３３】
それぞれの変圧器Ｔｒiの２次巻線ｅ2iは、変圧器Ｔｒi-1の１次巻線ｅ1,i-1によって供給源Ｓi-1に接続されている。値ｉが０に等しい場合には、２次巻線ｅ20は、変圧器ＴｒN-1の巻線ｅ1,N-1によって供給源ＳN-1に接続されている。
【００３４】
供給源Ｓiの中の１つに接続されていないそれぞれの２次巻線の端部は、中間点２４に直接接続されており、この中間点自体は、フィルタ６の入力８に直接接続されている。
【００３５】
次に、図３の方法との関係において、装置２の動作モードについて説明することとする。
【００３６】
まず、段階３０において、それぞれの変圧器の１次巻線ｅ1iの供給電圧が、その同一の変圧器の２次巻線ｅ2iの供給電圧との関係においてその絶対値が４π／Ｎを上回る角度αだけオフセットされるように、それぞれの供給源Ｓ0〜ＳN-1のオフセット角度を調節している。この場合には、角度αの絶対値がそれぞれの変圧器の巻線においてπ−２π／Ｎラジアンとπ＋２π／Ｎラジアンとの間に納まるように、供給源Ｓ0〜ＳN-1のオフセット角度を調節している。
【００３７】
更に詳しくは、巻線ｅ1i及びｅ2iの供給電圧間のオフセット角度αの絶対値が、Ｎが奇数である場合には、［（Ｎ−１）／２］.（２π／Ｎ）に、そして、Ｎが４の倍数である場合には、［（Ｎ／２）−１］．（２π／Ｎ）に等しくなるように、供給源Ｓiのオフセット角度を調節している。
【００３８】
Ｎが偶数の場合には、角度αは、最初のＮ／２−１個の変圧器においては、［（Ｎ／２）−１］．（２π／Ｎ）に、Ｎ／２番目及びＮ番目の変圧器においては、πに、そして、その他の変圧器においては、−［（Ｎ／２）−１］．（２π／Ｎ）に等しい。
【００３９】
従って、Ｎが４の倍数である際には、Ｎは、偶数でもあるため、角度αを算出するための２つの式を適用可能である。
【００４０】
次いで、段階３４において、段階３０において判定された角度αだけ互いの間のオフセット角度を具備した供給電圧をそれぞれの変圧器の巻線に供給している。
【００４１】
このタイプの角度αを選択することにより、磁気コアｎ0〜ｎN-1の断面を通過する最大磁束が可能な限り低減され、この結果、この断面を低減可能であり、これにより、カプラ１８の全体的なサイズが低減されることになる。１次巻線と２次巻線との間の位相変位の増大は、所与の瞬間においてこれら２つの巻線によって生成される最大磁界が磁気コア内において合成されるという状況からの離脱を意味するため、磁気コアの断面を通じた最大磁束が低減されることになる。
【００４２】
図４は、ダイポール４に供給する装置の第２実施例４０を表している。図４においては、図１と関連して既に説明済みの要素は、同一の参照符号を保持している。
【００４３】
装置４０は、供給源１６と、磁気カプラ４２と、を有している。カプラ４２は、それぞれの変圧器の１次巻線及び２次巻線が個々の電圧源Ｓiに直接接続されているという事実のみが、カプラ１８と異なっている。この供給法は、図３と関連して説明したものと同一である。又、この供給法においても、それぞれの磁気コアｎ0〜ｎN-1の断面を通過する最大磁束を低減可能である。
【００４４】
図５は、ダイポール４に供給する装置の第３実施例５０を表している。この図においては、図１と関連して既に説明済みの要素は、同一の参照符号を保持しており、ここでは、装置２と比較した場合の相違点についてのみ説明することとする。
【００４５】
図５においては、フィルタ６は、誘導コイルを有する必要はない。
【００４６】
装置５０は、磁気カプラ５４によってダイポール４に接続された供給源１６を有している。
【００４７】
カプラ５４内においては、中間点２４は、基準電位Ｍ1に接続されており、もはや、フィルタ６の入力８には接続されていない。
【００４８】
この実施例においては、それぞれの変圧器Ｔｒiは、巻線のペアｅ1i及びｅ2iに加えて、巻線のペアｅ3i及びｅ4iを有している。巻線ｅ3i及びｅ4iは、磁気コアｎiによって巻線ｅ1i及びｅ2iに磁気的に結合されている。巻線のペアｅ3i及びｅ4iは、巻線ｅ1i及びｅ2iから電気的に絶縁されている。
【００４９】
巻線ｅ3iの一端は、ダイオードｄiによって共通点５８に接続されている。ダイオードｄiの陰極は、共通点５８に対向している。
【００５０】
共通点５８は、フィルタ６の入力８に直接接続されている。
【００５１】
巻線ｅ3iの他端は、後続の変圧器Ｔｒi+1の巻線ｅ4,i+1の一端に直接接続されている。巻線ｅ4,i+1の巻線ｅ3iに接続されていない端部は、電位Ｍ1から電気的に絶縁された基準電位Ｍ2に接続されている。
【００５２】
巻線ｅ3,N-1の共通点５８に接続されていない端部は、巻線ｅ40の一端に直接接続されている。
【００５３】
カプラ５４に供給する方法は、このカプラのサイズを低減するべく、図３を参照して説明したものと同一である。
【００５４】
図６は、磁気カプラ１８、４２、及び５４の代わりに、これらの代替として使用可能なモノリシック磁気カプラ６０を表している。カプラ１８、４２、及び５４とは異なり、このカプラ６０は、その他の磁気コアｎiとは磁気的に独立した磁気コアをそれぞれが有する複数の単相変圧器から製造されてはいない。
【００５５】
この場合には、カプラ６０は、複数の水平ブランチＢ0〜ＢN-1を有するモノリシック磁気コア６２を有している。図６においては、Ｎは５に等しい。ブランチＢ0〜ＢN-1の左側端部は、垂直の円形レッグ６４によって相互に磁気的に接続されている。ブランチＢ0〜ＢN-1の右手側端部は、右手側の別の真っ直ぐな垂直の円形レッグ６６によって相互に磁気的に接続されている。
【００５６】
この場合には、レッグ６４及び６６のそれぞれは、それ自体が閉じていると共にすべてのブランチＢiを接続しているループ又は円を形成している。
【００５７】
導体が、それぞれの水平ブランチＢiの周りに巻線ｅiを形成している。それぞれの巻線ｅiの一端は、共通点６８に直接接続されており、共通点６８は、例えば、フィルタ６により、ダイポール４に接続されている。
【００５８】
それぞれの巻線ｅiの他端は、供給源１６の個々の供給源Ｓiに接続されている。
【００５９】
この場合には、２つの連続した水平ブランチＢi、Ｂi+1によって支持された隣接する巻線ｅi、ｅi+1が、コア６２によって磁気的に相互に接続された巻線のペアを形成している。但し、以前の実施例とは異なり、この場合には、単一の巻線が、２つの異なる隣接した巻線ペアに属することができる。図６においては、この状況が巻線ｅ2によって示されており、これは、巻線ｅ1と共に第１の巻線ペアを形成し、且つ、巻線ｅ3と共に第２の巻線ペアを形成している。
【００６０】
カプラ６０に供給する方法は、図３を参照して説明したものと同一である。図３の供給方法を使用することにより、レッグ６４及び６６の断面を通過する最大磁束を低減可能であり、この結果、このカプラ６０のサイズを低減可能である。
【００６１】
図７は、磁気カプラ１８、４２、及び５４の代わりに、これらの代替として使用可能なラック状のモノリシック磁気カプラ７０の別の実施例を表している。
【００６２】
図７においては、図６との関連において既に説明した要素は、同一の参照符号を保持している。
【００６３】
カプラ７０は、垂直レッグ６４及び６６が、それぞれ、垂直の直立体７４及び７６によって置換されているという点が、カプラ６０とは実質的に異なっている。従って、直立体７４及び７６は、ブランチＢ0〜ＢN-1の端部を磁気的に接続している。但し、この実施例においては、直立体７４及び７６は、それ自体が閉じていると共にすべてのブランチＢiを接続しているループ又は円を形成してはいない。
【００６４】
図７に示されているその他の特性は、図６に示されているものと同一であり、これらの説明は省略する。
【００６５】
カプラ７０に供給する方法は、図３を参照して説明したものと同一である。
【００６６】
以上において説明した供給装置及び供給方法においては、多数のその他の実施例が可能である。例えば、供給源１６の単相電圧源は、調節可能な単相電流源によって置換可能である。この場合には、αが巻線ペアの供給電流間におけるオフセット角度を表していると共にフィルタ６が誘導コイルを具備していない点を除いて、供給方法は、図３のものと同一である。
【００６７】
図５の実施例においては、図５を参照して説明したように、巻線ｅ1i及びｅ2,i+1を、供給源と第１基準電位Ｍ1との間に、直列に接続する代わりに、並列に接続することができる。同様に、巻線ｅ3iとｅ4i+1も、共通点５８と第２基準電位Ｍ2との間に、直列に接続する代わりに、並列に接続することができる。
【００６８】
好ましくは、供給源１６は、Ｎ個の単相供給源によって形成されており、このオフセット角度は、調節不能である。これらの条件においては、図３の方法の段階３０は、オフセット角度αを得るべく、巻線ｅ1i及びｅ2iを適切な単相供給源に接続することによって実装される。
【図面の簡単な説明】
【００６９】
【図１】磁気カプラによって負荷に供給する第１装置の回路図である。
【図２】図１の装置の供給源の位相分布を示すグラフである。
【図３】図１の装置内において磁気カプラに供給する方法のフローチャートである。
【図４】磁気カプラによって負荷に供給する装置の第２実施例の回路図である。
【図５】磁気カプラによって負荷に供給する装置の第３実施例の回路図である。
【図６】図１、図４、及び図５の装置内において使用可能なモノリシック磁気カプラの構造の概略透視図である。
【図７】図１、図４、及び図５の装置内において使用可能な別のモノリシック磁気カプラの構造の概略図である。
【図１】
2009500838.tif 000003
【図２】
2009500838.tif 000004
【図３】
2009500838.tif 000005
【図４】
2009500838.tif 000006
【図５】
2009500838.tif 000007
【図６】
2009500838.tif 000008
【図７】
2009500838.tif 000009
【国際調査報告】
2009500838.tif 000010
2009500838.tif 000011
2009500838.tif 000012
2009500838.tif 000013
2009500838.tif 000014
2009500838.tif 000015